(57)【特許請求の範囲】
【請求項１】
写真焼付け対象の画像が記録されている画像記録媒体から画像情報を読み取る読取手段と、この読取手段により読み取った画像情報に基づき写真焼付処理を行う時の感光材料に対する露光条件を設定する露光条件設定手段と、この露光条件設定手段により設定された露光条件に従って露光した場合に得られると予測されるシミュレーション画像をモニタ画面に表示する画像表示手段と、前記露光条件設定手段により設定された露光条件を補正する露光条件補正手段と、確定した露光条件に基づき前記感光材料を露光する露光手段と、前記画像記録媒体に記録されている写真焼付け対象の画像の総数を検出する画像総数検出手段と、この画像総数検出手段により検出された全画像についての露光条件補正作業の進み具合を示す進捗情報を前記モニタ画面に表示する進捗情報表示手段と、を備えた写真焼付装置において、
前記画像表示手段は、前記シミュレーション画像を複数個ずつまとめて１つの画面に表示するよう構成されており、前記進捗情報表示手段は、前記画像総数検出手段により検出された前記画像の総数と、現在表示中で露光条件の補正対象として現在選択中の前記シミュレーション画像までの画像個数とを併せた態様により、又は、前記画像の総数と前記画像個数とから導かれる態様により進捗情報として表示するように構成されていることを特徴とする写真焼付装置。
【請求項２】
写真焼付け対象の画像が記録されている画像記録媒体から画像情報を読み取る読取手段と、この読取手段により読み取った画像情報に基づき写真焼付処理を行う時の感光材料に対する露光条件を設定する露光条件設定手段と、この露光条件設定手段により設定された露光条件に従って露光した場合に得られると予測されるシミュレーション画像をモニタ画面に表示する画像表示手段と、前記露光条件設定手段により設定された露光条件を補正する露光条件補正手段と、確定した露光条件に基づき前記感光材料を露光する露光手段と、前記画像記録媒体に記録されている写真焼付け対象の画像の総数を検出する画像総数検出手段と、この画像総数検出手段により検出された全画像についての露光条件補正作業の進み具合を示す進捗情報を前記モニタ画面に表示する進捗情報表示手段と、を備えた写真焼付装置において
前記画像表示手段は、前記シミュレーション画像を複数個ずつまとめて１つの画面に複数画像表示画面として表示するよう構成されており、前記進捗情報表示手段は、前記画像表示手段により表示される複数画像表示画面の画面総数と現在表示中の複数画像表示画面までの画面数とを進捗情報として併せた態様により、又は、前記画面総数と前記画面数とから導かれる態様により表示する第１情報表示態様と、前記画像総数検出手段により検出された前記画像の総数と現在表示中の全シミュレーション画像までの第１画像個数とを併せた態様により、又は、前記画像の総数と前記第１画像個数とから導かれる態様により進捗情報として表示する第２情報表示態様と、前記画像総数検出手段により検出された画像の総数と現在表示中で露光条件の補正対象として現在選択中の前記シミュレーション画像までの第２画像個数とを併せた態様により、又は、前記画像の総数と前記第２画像個数とから導かれる態様により進捗情報として表示する第３情報表示態様との３つの態様の中のいずれか１つの態様を選択して表示することができるよう構成されていることを特徴とする写真焼付装置。
【発明の詳細な説明】
【０００１】
【発明の属する技術分野】
本発明は、写真焼付け対象の画像が記録されている画像記録媒体から画像情報を読み取る読取手段と、この読取手段により読み取った画像情報に基づき写真焼付処理を行う時の感光材料に対する露光条件を設定する露光条件設定手段と、この露光条件設定手段により設定された露光条件に従って露光した場合に得られると予測される仮想写真に対応するシミュレーション画像をモニタ画面に表示する画像表示手段と、前記露光条件設定手段により設定された露光条件を補正する露光条件補正手段と、確定した露光条件に基づき前記感光材料を露光する露光手段とを備えた写真焼付装置に関する。
【０００２】
【従来の技術】
かかる写真焼付装置の従来技術として、ネガフィルム以外の画像記録媒体を処理できるものが知られている。例えば、画像記録媒体としてコンパクトフラッシュカードのようなデジタルカメラ用メモリ媒体から撮影記録済のデジタル画像を読み取り、その読み取り情報に基づき感光材料を露光するための条件を露光条件設定手段により先ず設定し、その露光条件でペーパー等の感光材料を仮に露光した場合に得られるであろうシミュレーション画像をモニタ画面に表示することができる。
【０００３】
写真焼付装置のオペレータは、モニタ画面に表示されたシミュレーション画像を観察して、露光条件が適正なものであるか否かを判断し（プレジャッジ）、その露光条件が適正なものであれば、その条件で感光材料が露光されて写真プリントが得られ、その露光条件が補正の必要なものであれば、オペレータが露光条件補正手段を用いて色・濃度を補正した露光条件で感光材料が露光されて適切な写真プリントが得られる。
【０００４】
このような構成により、オペレータが実際に感光材料に露光する前にモニタ画面に表示されたシミュレーション画像により露光条件の適否を予め判定して補正できるので、写真プリントの失敗を未然に防止でき、常に適切な仕上がりの写真プリントを得ることができる。
【０００５】
【発明が解決しようとする課題】
しかしながら、デジタルカメラ用メモリ媒体等の画像記録媒体の場合、２４枚撮りや３６枚撮り等のネガフィルムのようにトータルの撮影枚数（記録枚数）が決まっておらず、また画像の記録ファイル形式等によって記録される枚数が大きく変動することもあるため、画像記録媒体に記録されている全画像に対する露光条件補正作業の進み具合（作業進捗率）が把握し難いという問題があった。
【０００６】
本発明は上記事情に鑑みてなされたものであり、その課題は、露光条件補正作業の進み具合が把握し易い写真焼付装置を提供することである。
【０００７】
【課題を解決するための手段】
上記課題を解決するための本発明に係る写真焼付装置は、
写真焼付け対象の画像が記録されている画像記録媒体から画像情報を読み取る読取手段と、この読取手段により読み取った画像情報に基づき写真焼付処理を行う時の感光材料に対する露光条件を設定する露光条件設定手段と、この露光条件設定手段により設定された露光条件に従って露光した場合に得られると予測される仮想写真に対応するシミュレーション画像をモニタ画面に表示する画像表示手段と、前記露光条件設定手段により設定された露光条件を補正する露光条件補正手段と、確定した露光条件に基づき前記感光材料を露光する露光手段とを備えた写真焼付装置において、
前記画像記録媒体に記録されている写真焼付け対象の画像の総数を検出する画像総数検出手段と、
この画像総数検出手段により検出された全画像についての露光条件補正作業の進み具合を示す進捗情報を前記モニタ画面に表示する進捗情報表示手段とを備えていることを特徴とするものである。
【０００８】
この構成による作用は次の通りである。
（１）画像記録媒体に記録されている写真焼付け対象の画像の総数（総コマ数）が検出される。
（２）写真焼付け対象の画像が記録されている画像記録媒体から画像情報が読み取られる。
（３）読み取られた画像情報に基づき写真焼付処理を行う時の感光材料に対する露光条件が設定される。
（４）設定された露光条件に従って露光した場合に得られると予測されるシミュレーション画像がモニタ画面に表示されるとともに、モニタ画面に全画像に対する露光条件補正作業の進み具合を示す進捗情報が前記モニタ画面に表示される。
（５）シミュレーション画像を観察したオペレータにより、必要に応じて色・濃度などの露光条件が補正される。
（６）確定した露光条件に基づき感光材料が露光されて写真プリントとして仕上げられる。
【０００９】
以上説明したように、設定された露光条件に従って露光した場合に得られると予測されるシミュレーション画像の他に、全画像に対する露光条件補正作業の進み具合を示す進捗情報も表示される。その結果、露光条件補正作業を行うオペレータは、モニタ画面の進捗情報を見て作業の進み具合をいつでも知ることができる。したがって、露光条件補正作業の進み具合が把握し易い写真焼付装置を提供することができた。
【００１０】
本発明の好適な実施形態として、前記画像表示手段は、前記シミュレーション画像を複数個ずつまとめて１つの画面に複数画像表示画面として表示するよう構成されており、
前記進捗情報表示手段は、前記画像表示手段により表示される前記複数画像表示画面の前記画面総数と、現在表示中の複数画像表示画面までの画面数とを併せた態様により、又は、前記画面総数と前記画面数とから導かれる態様により進捗情報として表示するように構成されているものがあげられる。
【００１１】
この構成によると、モニタ画面では、１枚の画面にシミュレーション画像が複数個ずつまとめて表示されるのに加え、シミュレーション画像の複数画像表示画面の画面総数と現在表示中の複数画像表示画面までの画面数とが併せて進捗情報として表示される。複数画像表示の総数から現在表示中の複数画像表示画面までの画面数を差し引けば、補正作業が完了していない画面数が分かるので、露光条件補正作業の進み具合が的確に把握できる。
または、前記画面総数と前記画面数とから導かれる態様により進捗情報として表示しても同様の効果を生じる。
【００１２】
本発明の別の好適な実施形態として、前記画像表示手段は、前記シミュレーション画像を複数個ずつまとめて１つの画面に表示するよう構成されており、
前記進捗情報表示手段は、前記画像総数検出手段により検出された前記画像の総数と、現在表示中の全シミュレーション画像までの画像個数とを併せた態様により、又は、前記画像の総数と前記画像個数とから導かれる態様により進捗情報として表示するように構成されているものがあげられる。
【００１３】
この構成の場合も、モニタ画面では、１枚の画面にシミュレーション画像が複数個ずつまとめて表示されるのに加え、記録画像の総数と現在表示中の全シミュレーション画像までの画像個数とが併せて進捗情報として表示される。記録画像の総数から表示中の全シミュレーション画像までの画像個数を差し引けば、補正作業が完了していない画像数が分かるので、露光条件補正作業の進み具合が的確に把握できる。
又は、前記画像の総数と前記画像個数とから導かれる態様により進捗情報として表示しても同様の効果を生じる。
【００１４】
本発明の更に別の好適な実施形態として、前記画像表示手段は、前記シミュレーション画像を複数個ずつまとめて１つの画面に表示するよう構成されており、前記進捗情報表示手段は、前記画像総数検出手段により検出された前記画像の総数と、現在表示中で露光条件の補正対象として現在選択中の前記シミュレーション画像までの画像個数とを併せた態様により、又は、前記画像の総数と前記画像個数とから導かれる態様により進捗情報として表示するように構成されているものがあげられる。
【００１５】
この構成の場合も、モニタ画面では、１枚の画面にシミュレーション画像が複数個ずつまとめて表示されるのに加え、記録画像の総数と現在表示中で露光条件の補正対象として現在選択中のシミュレーション画像までの画像個数とが併せて進捗情報として表示される。記録画像の総数から現在選択中のシミュレーション画像までの画像数データの示す数を差し引けば、補正作業が完了していない画像数が直ちに分かるので、オペレータは露光条件補正作業の進み具合を極めて的確に把握できる。
又は、前記画像の総数と前記画像個数とから導かれる態様により進捗情報として表示しても同様の効果を生じる。
【００１６】
本発明の更に別の好適な実施形態として、前記画像表示手段は、前記シミュレーション画像を複数個ずつまとめて１つの画面に複数画像表示画面として表示するよう構成されており、
前記進捗情報表示手段は、前記画像表示手段により表示される複数画像表示画面の画面総数と現在表示中の複数画像表示画面までの画面数とを進捗情報として併せた態様により、又は、前記画面総数と前記画面数とから導かれる態様により表示する第１情報表示態様と、
前記画像総数検出手段により検出された前記画像の総数と現在表示中の全シミュレーション画像までの第１画像個数とを併せた態様により、又は、前記画像の総数と前記第１画像個数とから導かれる態様により進捗情報として表示する第２情報表示態様と、
前記画像総数検出手段により検出された画像の総数と現在表示中で露光条件の補正対象として現在選択中の前記シミュレーション画像までの第２画像個数とを併せた態様により、又は、前記画像の総数と前記第２画像個数とから導かれる態様により進捗情報として表示する第３情報表示態様との３つの態様の中のいずれか１つの態様を選択して表示することができるよう構成されていることを特徴とするものがあげられる。
【００１７】
この構成の場合、上記３つの好適な各実施形態それぞれの各進捗情報の表示態様の中の１つの態様が選択されてモニタ画面に表示される。したがって、作業状況に見合った適当な態様の進捗情報を選んで表示することができるので、オペレータは露光条件補正作業の進み具合を非常に的確に把握することができる。
【００１８】
【発明の実施の形態】
＜第１実施形態＞
本発明の実施の形態を、図面を参照して詳しく説明する。図１は、本発明の第１実施形態に係るデジタル式の写真焼付装置の概略全体構成を示す。この写真焼付装置は、画像情報読み取り部Ｐ１とプリント部Ｐ２とを備え、画像情報読み取り部Ｐ１は、デジタル画像記録用のメモリ媒体１（画像記録媒体に相当する。）から画像情報等を読み取るためのメモリドライブ２（読取手段に相当する。）を備えている。メモリ媒体１としては、スマートメディアやコンパクトフラッシュカード（ＰＣカード）やコンパクトディスなどデジタルカメラ用のメモリ媒体や画像が記録されたＣＤ−ＲＯＭが一例として挙げられる。メモリドライブ２には読み取り対象とする各種メモリ媒体が全て装填可能なように複数のスロットＳａ〜Ｓｃが設けられている。
【００１９】
プリント部Ｐ２は、所定の搬送経路に沿って搬送されるペーパー３（感光材料に相当する。）を収容するペーパーマガジン４と、ペーパー３を搬送させる搬送ローラ５と、搬送ローラ５を駆動する駆動モータ６と、ペーパー３の搬送経路に沿った矢印Ａ方向に移動することでデジタル画像をペーパー３に所定ライン（例えば、１ラインずつ）ずつ形成してゆくデジタル露光ヘッド７（露光手段に相当する。）とを備えている。デジタル露光ヘッド７は、蛍光プリンタ、ＰＬＺＴプリンタ、ＣＲＴプリンタなど適宜のものが採用できる。画像が形成されたペーパー３は、現像処理部８と次の乾燥部９で順次処理された後、カッター１０により１枚１枚の写真プリントにカットする処理がされる。カットされた写真プリントは、以降、所定の循環経路に沿って多数のトレイが循環駆動されているオーダー仕分け機のトレイの上に、１オーダー単位で搭載される。
【００２０】
コントローラ１１は、画像情報読み取り部Ｐ１とプリント部Ｐ２などの動作を制御するものであり、このコントローラ１１に、装置の稼働に必要な画像・情報を表示するモニタ１２や装置の稼働に必要な入力（例えば色や濃度等の露光条件の補正のための入力）を行うキーボート１３（露光条件補正手段に相当する。）が接続されている。
【００２１】
図２は、コントローラ１１の要部構成を示すブロック図である。コントローラ１１は、デジタル画像記録用メモリ媒体１から読み取られた画像情報を記憶する画像情報記憶部１４と、読み取った画像情報に基づき焼付け処理を行う時のペーパー３に対する露光条件を設定する露光条件設定部１５と、露光条件設定部１５により設定された露光条件に従って露光した場合に得られると予測されるシミュレーション画像をモニタ１２の画面に表示する画像表示部１６と、確定した露光条件に従ってデジタル露光ヘッド７を制御する露光制御部１７とを備えており、キーボート１３の入力操作により露光条件設定部１５が設定している露光条件を入力操作に応じて補正するよう構成されているとともに、画像表示部１６は、写真焼付け対象の画像のシミュレーション画像を画像の記録順に従って複数個（例えば６個）ずつまとめて１枚の画面にプレジャッジ画面（複数画像表示画面に相当する。図３参照）として表示するよう構成されているものである。キーボート１３による補正の内容は、Ｙ・Ｍ・Ｃの３色の色の補正や全体濃度の補正等である。
【００２２】
さらに、コントローラ１１は、デジタル画像記録用のメモリ媒体１に記録されている写真焼付け対象の画像の総数（総コマ数）を検出する画像総数検出部１８を備えるとともに、画像表示部１６により表示されるプレジャッジ画面の総数と現在表示中のプレジャッジ画面までの画面数とを併せて、全画像に対する露光条件補正作業の進み具合を示す進捗情報として、モニタ１２の画面に表示する進捗情報表示部１９を備えている。
【００２３】
デジタル画像記録用のメモリ媒体１にはデジタル画像１枚で１ファイルとなるように焼付け対象の画像が記憶されているので、画像総数検出部１８はメモリ媒体１の内の画像ファイル数をカウントすることにより総コマ数を検出するよう構成されている。また、進捗情報表示部１９は（総コマ数）÷（１枚のプレジャッジ画面中のシミュレーション画像数）という割り算処理によりプレジャッジ画面の総数を演算するとともに、表示中のプレジャッジ画面のページ数を割り出して表示中のプレジャッジ画面までの画面数を演算し、両演算枚数をモニタ１２の画面に併せて表示するよう構成されている。
【００２４】
より具体的には、例えば、プレジャッジ画面の総数が５枚の場合、プレジャッジ画面が第１ページならば、図３のモニタ１２のプレジャッジ画面に示すように、モニタ１２の画面の下縁の作業進捗情報表示欄１２ａに（１／５）と表示される。この場合、プレジャッジ画面のページが２，３，…と進むに従って、表示欄１２ａの表示が（２／５），（３／５），・・と変化する。
【００２５】
したがって、オペレータは、プレジャッジ画面の総数から現在表示中のプレジャッジ画面のページ数を差し引いて補正作業が完了していない画面数を求めて、露光条件補正作業の進み具合を知ることができる。
【００２６】
続いて、第１実施形態のデジタル写真焼付装置による写真焼付け処理の手順を説明する。図４は第１実施形態の装置による写真焼付け処理の手順を示すフローチャートである。
【００２７】
メモリ媒体１がメモリドライブ２に装填されると、画像総数検出部１８によりメモリ媒体１に記録されている写真焼付け対象の画像の総コマ数が検出される（ステップ＃０１）。
【００２８】
写真焼付け対象の画像が記録されているメモリ媒体１から画像情報が読み取られて画像情報記憶部１４に記憶される（＃０２）。
【００２９】
読み取られた画像情報に基づき写真焼付けを行う時のペーパー３に対する露光条件が露光条件設定部１５により先ず設定される（＃０３）。
【００３０】
露光条件設定部１５により設定された露光条件に従って露光した場合に得られると予測されるシミュレーション画像がモニタ１２の画面に表示されるとともに、進捗情報表示部１９によりプレジャッジ画面の総数と表示中のプレジャッジ画面のページ数とが併せて進捗情報として表示される（＃０４）。
【００３１】
モニタ１２の画面に表示されたシミュレーション画像を観察したオペレータにより必要に応じて色・濃度等の露光条件がキーボード１３による入力操作で補正される（＃０５）。
【００３２】
確定した露光条件に基づきペーパー３が露光されて写真プリントが仕上げられる（＃０６）。
【００３３】
＜第２実施形態＞
次に第２実施形態に係るデジタル式の写真焼付装置を説明する。第２実施形態の写真焼付装置の場合、進捗情報表示部１９は、メモリ媒体１の記録画像の総コマ数と表示中の全シミュレーション画像までの全画像個数（コマ個数）とを併せて進捗情報として表示するように構成されている他は、第１実施形態と同様の構成であるので、その他の点の説明は省略する。例えば、全画像個数が５０個で、現在のプレジャッジ画面（６コマ表示パターンとする。）が２ページ目であるとすると、（１２／５０）のように表示する。第２実施形態の写真焼付装置においては、総画像数から表示中の全シミュレーション画像までの画像個数を差し引いて補正作業が完了していない画像数を求めて、露光条件補正作業の進み具合を知ることができる。
【００３４】
＜第３実施形態＞
続いて、第３実施形態に係るデジタル式の写真焼付装置を説明する。第３実施形態の写真焼付装置の場合、進捗情報表示部１９は、例えば図３に示すように、メモリ媒体１の総コマ数とモニタ１２の画面に現在表示中の６個のシミュレーション画像の中で露光条件の補正対象として（キーボード１３等の操作により）現在選択中のシミュレーション画像までの画像個数に対応する画像数データとを併せて進捗情報として表示するように構成されている他は、第１実施形態〜第３実施形態と同様の構成であるので、その他の点の説明は省略する。例えば、全画像個数が５０個で、図３のように１ページ目のプレジャッジ画面の左上のシミュレーション画像が選択されている場合は（１／５０）のように表示される。第３実施形態の写真焼付装置においては、総画像数から画像数を差し引いて補正作業が完了していない画像数を求め、露光条件補正作業の正確な進み具合を知ることができる。
【００３５】
＜第４実施形態＞
最後に、第４実施形態に係るデジタル式の写真焼付装置を説明する。第４実施形態の写真焼付装置の場合、進捗情報表示部１９は、上記の第１〜第３の各実施形態それぞれの各進捗情報の表示態様の中からキーボード１３により選択された態様がモニタ１２の画面に表示されるよう構成されている他は、第１実施形態と同様の装置であるので、その他の点の説明は省略する。第４実施形態の写真焼付装置においては、作業状況に見合った適当な態様の進捗情報を選んで表示できるので、オペレータは露光条件補正作業の進み具合を的確に知ることができる。
【００３６】
〔更に別の実施形態〕
（１）上記実施形態の写真焼付装置の場合、シミュレーション画像が画像の記録順に従って６個ずつまとめて１つの画面に表示される構成であったが、その個数については特に限定されるものではなく、たとえば４個、８個などその表示個数については適宜変更可能である。
【００３７】
（２）上記実施形態の装置の場合、写真焼付け対象の画像が記録されている画像記録媒体がデジタル画像記録媒体であったが、画像記録媒体としてネガフィルムやポジフィルムのようなアナログ式のものであってもよい。フィルムの場合は、そのコマ画像をスキャナーにより読み取ってデジタルデータ化し、これをデジタル露光ヘッド７により露光できるように構成すればよい。
【００３８】
（３）顧客が、アナログ式とデジタル式の画像形成媒体（例えば、ネガフィルムとデジタルカメラ用メモリ媒体）の両方を写真店に持ち込んできた場合には、これらを一括してコントローラにより管理しても良い。また、アナログ式に限らず、デジタル式の画像形成媒体を顧客が複数種類持ち込んだ場合も同様である。これにより、顧客単位で本発明を適用することができる。より詳しく述べると、第１実施形態における画像の総コマ数は、複数の画像形成媒体の総コマ数であり、プレジャッジ画面の画面総数は、上記総コマ数についての画面総数となる。第２実施形態〜第４実施形態についても同様である。
【００３９】
（４）第１実施形態では、プレジャッジ画面の画面総数と現在表示中のプレジャッジ画面までの画面数を併せて表示しているが、これに代えて画面総数と画面数から導かれる態様により進捗情報を表示しても良い。例えば、画面総数と画面数の割合を％表示しても良い。画面総数と画面数の割合をグラフその他の図形表示や視覚的に認識可能な表示で行っても良い。
【００４０】
（５）第２実施形態も（４）と同様に総コマ数とコマ個数の割合を％表示しても良い。総コマ数とコマ個数の割合をグラフその他の図形表示や視覚的に認識可能な表示で行っても良い。第３実施形態、第４実施形態も同様である。
【図面の簡単な説明】
【図１】第１実施形態のデジタル式の写真焼付装置の概略全体構成を示すブロック図
【図２】第１実施形態に係る写真焼付装置のコントローラの要部構成を示すブロック図
【図３】  第１実施形態に係る写真焼付装置のシミュレーション画像のプレジャッジ画面の具体例を示す図
【図４】  第１実施形態の写真焼付装置による写真焼付け処理手順を説明するフローチャート
【符号の説明】
１      デジタル画像記録用メモリ媒体
２      メモリドライブ
３      ペーパー
７      デジタル露光ヘッド
１１    コントローラ
１２    モニタ
１２ａ  作業進捗情報表示欄
１３    キーボート
１４    画像情報記憶部
１５    露光条件設定部（露光条件設定手段）
１６    画像表示部（画像表示手段）
１７    露光制御部
１８    画像総数検出部（画像総数検出手段）
１９    進捗情報表示部（進捗情報表示手段）
【図１】
0004534293.tif 000002
【図２】
0004534293.tif 000003
【図３】
0004534293.tif 000004
【図４】
0004534293.tif 000005